(57)【特許請求の範囲】
【請求項１】
板状に形成された底部（１１０）と、
前記底部（１１０）の一側に設けられた第１本体部（１２０）と、
前記底部（１１０）の他側で第１本体部（１２０）の方向にスライド移動しつつ前記第１本体部（１２０）と所定間隔離隔して背表紙が挿入される挿入溝（１０１）を可変形成する移動加圧部（１３１）と、
前記移動加圧部（１３１）を背表紙の側面に密着した状態で固定する固定手段と、
前記移動加圧部（１３１）を覆うカバー（１３４）と、を含んで構成された、様々な厚さの本を固定可能な書見台。
【請求項２】
前記移動加圧部（１３１）が第１本体部（１２０）の方向にスライド移動するのを案内するガイド手段をさらに含んで構成された、請求項１に記載の様々な厚さの本を固定可能な書見台。
【請求項３】
前記挿入溝（１０１）に挿入された背表紙と接する第１本体部（１２０）の端部と移動加圧部（１３１）の端部の上端にはそれぞれ、側方向に突出した止め具（１２１，１３２）が形成されたことを特徴とする、請求項１に記載の様々な厚さの本を固定可能な書見台。
【請求項４】
前記挿入溝（１０１）に挿入された背表紙と接する第１本体部（１２０）の端部と移動加圧部（１３１）の端部にはそれぞれ、垂直方向に突起（１２２，１３３）が所定間隔離隔して形成された、請求項１又は３に記載の様々な厚さの本を固定可能な書見台。
【請求項５】
前記挿入溝（１０１）に挿入された背表紙と接する第１本体部（１２０）の端部と移動加圧部（１３１）の端部にはそれぞれ、ノンスリップ素材で成形された加圧具（１２３，１３６）が取り付けられたことを特徴とする、請求項１に記載の様々な厚さの本を固定可能な書見台。
【請求項６】
前記移動加圧部（１３１）に凹状に第１把持溝（１３８）が形成され、カバー（１３４）に凹状に第２把持溝（１３９）が形成され、
使用者の指を前記第１把持溝及び第２把持溝（１３８，１３９）に挿入して移動加圧部（１３１）を広げるように構成された、請求項１に記載の様々な厚さの本を固定可能な書見台。
【請求項７】
前記固定手段は、
一側は底部（１１０）又は底部（１１０）に取り付けられた構造物に支持され、他側は移動加圧部（１３１）を弾性支持するバネ（１４４）で構成され、バネ（１４４）の弾力で移動加圧部（１３１）を付勢して移動加圧部（１３１）を背表紙の側面に密着した状態で固定するように構成されたことを特徴とする、請求項１に記載の様々な厚さの本を固定可能な書見台。
【請求項８】
前記ガイド手段は、
底部（１１０）から上方突出したガイド突起（１５４）と、移動加圧部（１３１）の底面に形成された長孔状の突起ガイド溝（１５６）とで構成され、前記ガイド突起（１５４）が突起ガイド溝（１５６）に挿入されて突起ガイド溝（１５６）に沿ってスライド移動するように構成された、請求項２に記載の様々な厚さの本を固定可能な書見台。
【請求項９】
前記ガイド突起（１５４）の上部一側又は両側に突出した翼（１５５）と、前記突起ガイド溝（１５６）に係止凸部（１５８）が突出形成され、
前記ガイド突起（１５４）が突起ガイド溝（１５６）に挿入された時、翼（１５５）が係止凸部（１５８）と底部（１１０）との間に挿入されてスライド移動するように構成された、請求項８に記載の様々な厚さの本を固定可能な書見台。
【請求項１０】
前記書見台の後方には掛け具（１０８）がヒンジ結合し、９０°よりも小さい角度で広がるように構成された、請求項１に記載の様々な厚さの本を固定可能な書見台。 
【発明の詳細な説明】
【技術分野】
【０００１】
本発明は、様々な厚さの本を固定可能な書見台に関し、特に、厚い本も、本を閉じることなく開いたまま固定可能な書見台に関する。
【背景技術】
【０００２】
一般に、書見台は本や楽譜を使用者が読みやすい角度又は位置に開いて固定する道具である。
【０００３】
従来技術による書見台は、本を開いて固定するとき、本の厚さが薄いと、開いたページがめくられることなく安定して開いた状態で維持されるが、本の厚さが厚いと、本を開いたとき、背表紙の部分が書見台の表面から突出し、開いたページが再び閉じるという問題点がある。
【０００４】
このような問題点を解決するために、従来の書見台は、開いた本を本の両側で押さえて固定できるハサミ（クリップ又は押さえ具）を設置したが、このようなハサミは、本が厚い場合には本の両側を効果的に押さえることができず、本を安定して固定できない他、ページをめくる度にハサミを外してページをめくった後、再びハサミでページを押さえて固定しなければならず、不便だった。
【発明の概要】
【発明が解決しようとする課題】
【０００５】
本発明は、上記のような問題点を解決するために案出したもので、薄い厚さの本はもとより厚い本も、ページをめくって押さえる必要なく、開いた本のページが再び閉じることなく開いた状態のまま固定される書見台を提供することを目的とする。
【課題を解決するための手段】
【０００６】
上記のような目的を達成するために、本発明による様々な厚さの本を固定可能な書見台は、板状に形成された底部（１１０）；前記底部（１１０）の一側に設けられた第１本体部（１２０）；前記底部（１１０）の他側で第１本体部（１２０）の方向にスライド移動しつつ前記第１本体部（１２０）と所定間隔離隔して背表紙が挿入される挿入溝（１０１）を可変形成する移動加圧部（１３１）；及び前記移動加圧部（１３１）を背表紙の側面に密着した状態で固定する固定手段；を含んで構成される。
【０００７】
このとき、前記移動加圧部（１３１）のスライド移動を案内するガイド手段をさらに含んで構成されてもよい。
【０００８】
また、前記挿入溝（１０１）に挿入された背表紙と接する第１本体部（１２０）の端部と移動加圧部（１３１）の端部の上端にはそれぞれ、側方向に突出した止め具（１２１，１３２）をさらに構成することが好ましい。
【０００９】
また、前記挿入溝（１０１）に挿入された背表紙と接する第１本体部（１２０）の端部と移動加圧部（１３１）の端部にはそれぞれ、垂直方向に突起（１２２，１３３）が所定間隔離隔して形成されることが好ましい。
【００１０】
また、前記挿入溝（１０１）に挿入された背表紙と接する第１本体部（１２０）の端部と移動加圧部（１３１）の端部にはそれぞれ、ノンスリップ素材で成形された加圧具（１２３，１３６）が取り付けられる。
【００１１】
また、前記移動加圧部（１３１）を覆うカバー（１３４）をさらに含んで構成されてもよい。
【００１２】
このとき、前記移動加圧部（１３１）に凹状に第１把持溝（１３８）が形成され、カバー（１３４）に凹状に第２把持溝（１３９）が形成され、使用者の指を前記第１及び第２把持溝（１３８，１３９）に挿入して移動加圧部（１３１）を広げるように構成されてもよい。 
【００１３】
前記固定手段は、一側は底部（１１０）又は底部（１１０）に取り付けられた構造物に支持され、他側は移動加圧部（１３１）を弾性支持するバネ（１４４）で構成され、バネ（１４４）の弾力で移動加圧部（１３１）を付勢して移動加圧部（１３１）を背表紙の側面に密着した状態で固定するように構成される。
【００１４】
前記ガイド手段は、底部（１１０）から上方突出したガイド突起（１５４）と、移動加圧部（１３１）の底面に形成された長孔状の突起ガイド溝（１５６）とで構成され、前記突起（１５４）が突起ガイド溝（１５６）に挿入されて突起ガイド溝（１５６）に沿ってスライド移動するように構成される。
【００１５】
また、前記ガイド突起（１５４）の上部一側又は両側に突出した翼（１５５）と、前記突起ガイド溝（１５６）に係止凸部（１５８）が突出形成され、前記ガイド突起（１５４）が突起ガイド溝（１５６）に挿入された時、翼（１５５）が係止凸部（１５８）と底部（１１０）との間に挿入されてスライド移動するように構成される。
【００１６】
また、前記書見台の後方には掛け具（１０８）がヒンジ結合し、９０゜よりも小さい角度で広がるように構成される。
【発明の効果】
【００１７】
上記のように構成された本発明は、書見台の表面に、背表紙の部分が収納される凹状の挿入溝を構成することによって、厚い厚さの本も、開いたページが再び閉じることなく固定され、本が楽に読める。
【００１８】
また、書見台に固定する本の厚さに応じて書見台の挿入溝の幅を可変できるので、様々な厚さの本を固定することができる。
【図面の簡単な説明】
【００１９】
【図１】本発明の一実施例による書見台を示す斜視図である。
【図２】本発明の一実施例による書見台を示す分解斜視図である。
【図３】本発明の一実施例による書見台を示す断面図である。
【図４】本発明の一実施例による書見台の使用状態を示す断面図である。
【図５】本発明の一実施例による書見台において本が固定された挿入溝部分を拡大した断面図である。
【図６】本発明の他の実施例による書見台を示す斜視図である。
【図７】本発明の他の実施例による書見台を示す断面図である。
【図８】本発明の他の実施例による書見台の分解斜視図である。
【図９】本発明のさらに他の実施例による書見台を示す斜視図である。
【図１０】本発明のさらに他の実施例による書見台の分解斜視図である。
【図１１】図１０のＡ部分の拡大図である。
【図１２】本発明のさらに他の実施例による書見台の書見台受け及び支えを広げた状態で書見台の背面を示す斜視図である。
【図１３】本発明のさらに他の実施例による書見台の移動加圧部の背面を示す斜視図である。
【図１４】本発明のさらに他の実施例による書見台を示す断面図である。
【図１５】本発明のさらに他の実施例による書見台の書見台受けを広げて書見台を傾斜するように設置した状態を示す斜視図である。
【図１６】本発明のさらに他の実施例による書見台の掛け具を広げた状態を示す斜視図である。
【図１７】本発明のさらに他の実施例による書見台の掛け具を使用する状態を示す使用状態図である。
【発明を実施するための形態】
【００２０】
以下では、本発明の好ましい実施例及び添付の図面を参照して本発明を詳細に説明するが、図面における同一の参照符号は同一の構成要素を指すとして説明する。
【００２１】
発明の詳細な説明又は特許請求の範囲において、いずれか一つの構成要素が他の構成要素を「含む」としたとき、これは、特に反対の記載がない限り、当該構成要素だけからなることに限定して解釈してはならず、他の構成要素をさらに含み得ると理解しなければならない。
【００２２】
以下に説明する本発明の一実施例、他の実施例及びさらに他の実施例による書見台はいずれも、底部１１０と、本の背表紙の一側に接して背表紙を固定する第１本体部１２０と、背表紙の他側を加圧して背表紙を固定する第２本体部１３０と、前記第２本体部１３０をスライドガイドするガイド手段と、前記第２本体部１３０を固定する固定手段とで構成される。
【００２３】
本発明の一実施例による書見台１００Ａは、図１及び図２に示すように、平坦な板状の底部１１０が設けられ、前記底部１１０の上面の上端及び下端には、バー状のガイド１５１が取り付けられて上方に突出している。
【００２４】
前記底部１１０の上部一側に板状の第１本体部１２０が設けられ、底部１１０の上部他側には、第１本体部１２０と所定間隔離隔して板状の第２本体部１３０が設けられる。
【００２５】
前記第２本体部１３０は、底部１１０の上部でスライド移動する移動加圧部１３１と、該移動加圧部１３１の上部を覆うカバー１３４とで構成される。
【００２６】
前記移動加圧部１３１は、一対のガイド１５１との間でガイド１５１にガイドされつつ第１本体部１２０の方向にスライド移動するように構成され、前記カバー１３４は、移動加圧部１３１の上部に位置してガイド１５１に取り付けられる。
【００２７】
前記第１本体部１２０と第２本体部１３０間の隙間には、図３に示すように、背表紙の部分が挿入、固定される挿入溝１０１が形成される。
【００２８】
前記移動加圧部１３１には孔状にホール１４２が形成され、該ホールには締結ボルト１４１がねじ結合し、カバー１３４の一側には長孔状のガイドホール１４３が形成される。これによって、移動加圧部１３１がスライド移動する際、締結ボルト１４１がガイドホール１４３に沿って移動し、移動加圧部１３１のスライド移動に支障を与えなくて済む。
【００２９】
上記のように構成された本発明の書見台１００Ａに本を固定する過程について説明する。
【００３０】
まず、図３に示すように、第２本体部１３０の移動加圧部１３１を第１本体部１２０の反対方向にスライド移動させて、挿入溝１０１に背表紙が十分に挿入されるようにする。
【００３１】
そして、図４に示すように、背表紙を挿入溝１０１に挿入した後、移動加圧部１３１を第１本体部１２０の方向にスライド移動させて、表紙の一側が第１本体部１２０に接し、移動加圧部１３１が表紙の他側に密着するように位置させた後、締結ボルト１４１を回転締結して移動加圧部１３１が動かないように固定する。
【００３２】
上記のように書見台１００Ａの第１本体部１２０と移動加圧部１３１が表紙の両側に密着した状態では、本が厚くても開いたページが閉じることなく開いた状態で固定される。
【００３３】
このとき、図５に示すように，背表紙と接する第１本体部１２０の端部に多段に突出した突起１２２を形成し、その上部には外側に突出した止め具１２１を形成することが好ましい。
【００３４】
同様に、背表紙と接する移動加圧部１３１の端部にも多段に突出した突起１３３を形成し、その上部には外側に突出した止め具１３２を形成することが好ましい。
【００３５】
上記のように第１本体部１２０の端部と移動加圧部１３１の端部にそれぞれ多段の突起１２２，１３３と止め具１２１，１３２を形成することによって、開いた厚い本をより堅固に書見台に固定することができる。
【００３６】
図５に示すように、厚い本の背表紙を書見台１００Ａの挿入溝１０１に挿入した状態で、厚い本の最初の部分を開いたり最後の部分を開くと重さのアンバランスによって背表紙の部分が一側に回転しようとするが、この回転力によって移動加圧部１３１が押されながら背表紙が挿入溝１０１から抜けて本が閉じることがある。
【００３７】
図５に示すように、第１本体部１２０の端部と移動加圧部１３１の端部の上側に、それぞれ外側に突出した止め具１２１，１３２を形成することによって、重さのアンバランスによって背表紙が回転する場合にも、止め具１２１，１３２の下部の空間で背表紙が回転しつつ変位量が吸収され、移動加圧部１３１が押されず、背表紙が挿入溝１０１から抜けることを防止する。
【００３８】
また、背表紙が回転する際、背表紙の縁が第１本体部１２０の突起１２２又は移動加圧部１３１の突起１３３に掛かり止められてそれ以上回転せず、背表紙が挿入溝１０１から抜けることなく堅固に固定される。
【００３９】
上述した本発明の一実施例は、移動加圧部１３１が表紙に密着した状態で固定する固定手段として締結ボルト１４１を使用するが、本発明の他の実施例は、移動加圧部１３１が表紙に密着した状態で固定する固定手段としてバネを使用する。
【００４０】
本発明の他の実施例は、図６〜図８に示すように、底部１１０の一側に第１本体部１２０が設けられ、底部１１０の他側には、支持台１３５及び移動加圧部１３１で構成された第２本体部１３０が設けられる。
【００４１】
前記第１本体部１２０は、底部１１０と別個として成形されて底部１１０に取り付けられてもよく、底部１１０と一体として成形されてもよい。
【００４２】
前記第１本体部１２０と第２本体部１３０が所定間隔で離隔して挿入溝１０１が形成され、背表紙と接する第１本体部１２０の端部に加圧具１２３が取り付けられ、背表紙と接する第２本体部１３０の端部にも加圧具１３６が取り付けられる。
【００４３】
前記加圧具１２３は、背表紙と両側で密着して背表紙をより堅固に固定する役割を担うものであり、弾性変形して背表紙の両側を加圧しながらノンスリップ機能がある合成樹脂、ゴム、スポンジなどの様々な素材で成形することができる。
【００４４】
第１本体部１２０が底部１１０に固定された状態で第２本体部１３０の移動加圧部１３１が第１本体部１２０の方向にスライド移動しながら挿入溝１０１の幅を調節し、様々な厚さの本が挿入溝１０１に挿入、固定されるようにする。
【００４５】
本発明の他の実施例において、前記移動加圧部１３１を第１本体部１２０の方向にスライド案内するガイド手段は、図８に示すように、移動加圧部１３１の底面に一対のガイドバー１５２が所定間隔で離隔して設けられ、前記移動加圧部１３１が位置する底部１１０の上部には、前記ガイドバー１５２の間に挿入されるガイド突起が上方突出して設けられる。
【００４６】
前記ガイド突起１５３の幅はガイドバー１５２間の間隔と同一又はやや小さく形成される。
【００４７】
したがって、移動加圧部１３１の底面に形成されたガイドバー１５２の間に底部１１０のガイド突起１５３が挿入されることによって、移動加圧部１３１が第１本体部１２０の方向にのみスライド移動できるように案内する。
【００４８】
そして、前記移動加圧部１３１が挿入溝１０１に挿入された背表紙に密着した状態で固定されるように固定手段が構成されるが、本発明の他の実施例では固定手段としてバネ１４４が用いられる。
【００４９】
図７及び図８に示すように、底部１１０の一側に支持台１３５が上方突出しており、前記支持台１３５と移動加圧部１３１との間にバネ１４４が挿入されることにより、バネ１４４が支持台１３５に支持され、移動加圧部１３１を弾力で背表紙に密着させて固定する。
【００５０】
前記支持台１３５は別個として成形されて底部１１０に取り付けられてもよく、底部１１０と一体として成形されてもよい。
【００５１】
この時、図８に示すように，支持台１３５にバネ１４４を固定する固定突起１４５を設け、移動加圧部１３１に固定突起１４６を設けることによって、バネ１４４が動かないように固定することが好ましい。
【００５２】
前記バネ１４４としては圧縮バネ又は引張バネを使用することができる。
【００５３】
上記のように構成された本発明の他の実施例による書見台１００Ｂに本を固定する過程について説明する。
【００５４】
まず、図６のような状態の書見台１００Ｂの移動加圧部１３１を第１本体部１２０の反対方向に移動させて背表紙が挿入され得るように挿入溝１０１を広げる。
【００５５】
図６に示すように、第１本体部１２０の端部と移動加圧部１３１の端部にそれぞれ加圧具１２３が設けられることにより、使用者の手を入れる空間が形成されるので、この空間に手を入れて移動加圧部１３１を移動させる。
【００５６】
広がっている挿入溝１０１に背表紙を挿入した後、移動加圧部１３１から手を放すと、移動加圧部１３１の下部に設置されたバネ１４４の弾力で移動加圧部１３１が背表紙の方向にスライド移動し、移動加圧部１３１が背表紙に密着した後にはバネの弾力で移動加圧部１３１が背表紙を加圧し、本を書見台１００Ｂに堅固に固定する。
【００５７】
本発明の他の実施例において、第１本体部１２０の端部と移動加圧部１３１の端部に弾性加圧具を取り付けない状態で書見台１００Ｂを構成してもよい。
【００５８】
このとき、本発明の一実施例による書見台１００Ａのように、背表紙と接する第１本体部１２０の端部に多段に突出した突起を形成し、その上部には外側に突出した止め具を形成し、同様に、背表紙と接する移動加圧部１３１の端部に多段に突出した突起を形成し、その上部には外側に突出した止め具を形成してもよい。
【００５９】
図９は、本発明のさらに他の実施例による書見台１００Ｃを示す斜視図である。
【００６０】
本発明のさらに他の実施例による書見台１００Ｃは、図９に示すように、底部１１０と一体型に底部１１０の一側に第１本体部１２０が設けられ、底部１１０の他側には、移動加圧部１３１がカバー１３４に覆われて第２本体部１３０が設けられ、該第２本体部１３０の移動加圧部１３１は第１本体部１２０の方向にスライド移動するように構成される。
【００６１】
第１本体部１２０の端部と移動加圧部１３１との間には背表紙が挿入されて固定されるように挿入溝１０１が形成され、挿入溝１０１に挿入された背表紙をより堅固に加圧、固定するように第１本体部１２０の端部と移動加圧部１３１の端部にそれぞれ弾性加圧部１２３，１３６が取り付けられる。
【００６２】
前記移動加圧部１３１が挿入溝１０１に挿入された背表紙に密着した状態で固定させる固定手段は、次のように構成される。
【００６３】
図１０は、第２本体部１３０のカバー１３４を切り離して移動加圧部１３１を分離した状態を示す図である。
【００６４】
図１０に示すように、移動加圧部１３１が位置する底部１１０の上部にはバネハウジング１４７が設けられ、該バネハウジング１４７の内部にはバネ１４４が挿入される。該バネ１４４の一側はバネハウジング１４７に支持され、バネ１４４の他側は第１本体部１２０の方向に露出される。
【００６５】
このとき、図１１及び図１２に示すように、バネハウジング１４７の内部に固定突起１４５を突設することによって、バネハウジング１４７の内部に挿入されるコイル状のバネ１４４が前記固定突起１４５に挿入されて固定されるように構成することが好ましい。
【００６６】
また、図１２に示すように、底部１１０の底面には前記バネハウジング１４７を開閉できるカバー１４８を構成することによって、書見台１００Ｃの底面からカバー１４８を開いてバネ１４４を挿入又は交換できるように構成することが好ましい。
【００６７】
図１３に示すように、移動加圧部１３１の底面には前記バネ１４４が挿入されるバネ溝１４９を設けることによって、移動加圧部１３１を底部１１０の上部に位置させた時、バネ１４４が前記バネ溝１４９に挿入されて移動加圧部１３１を弾性支持するようにする。
【００６８】
そして、前記移動加圧部１３１の第１本体部１２０方向へのスライド移動を案内するガイド手段は、次のように構成される。
【００６９】
図１０及び図１１に示すように、移動加圧部１３１が位置する底部１１０の上部にはガイド突起１５４が上方突出し、前記ガイド突起１５４は、図１１に示すように、バー状のガイド突起１５４の上部両側に翼１５５が突出している。
【００７０】
そして、図１３に示すように、移動加圧部１３１の底面には前記ガイド突起１５４が挿入される長孔状の突起ガイド溝１５６が設けられることによって、移動加圧部１３１が底部１１０の上部に位置した時、底部１１０の上部に突出したガイド突起１５４が移動加圧部１３１の底面に設けられた突起ガイド溝１５６に挿入され、移動加圧部１３１が第１本体部１２０の方向にのみスライド移動できるように案内する。
【００７１】
このとき、図１１に示すように、ガイド突起１５４の上部両側に翼１５５を突出形成し、図１３に示すように、突起ガイド溝１５６の後方、すなわち、弾性加圧部１３６の反対方向に係止凸部１５８を突出形成することによって、ガイド突起１５４を突起ガイド溝１５６の挿入口１５７に挿入した後、移動加圧部１３１をスライド移動させると、ガイド突起１５４の翼１５５が突起ガイド溝１５６の係止凸部１５８と底部１１０との間に挿入されるので、移動加圧部１３１が上、下方向に動かず、単に第１本体部１２０の方向にのみスライド移動する。
【００７２】
上記のように構成された本発明のさらに他の実施例による書見台１００Ｃに本を固定する過程について説明する。
【００７３】
図９のような状態で使用者は移動加圧部１３１を広げて、固定したい本の背表紙が挿入溝１３１に挿入され得ように挿入溝１３１の幅を広げる。
【００７４】
この時、図９に示すように、移動加圧部１３１の端部に凹状に第１把持溝１３８を設け、カバー１３４の部分に凹状に第２把持溝１３９を設けることによって、使用者の親指を第１把持溝１３８に挿入し、人差し指、中指又は薬指を第２把持溝１３９に挿入して、片手でも移動加圧部１３１を簡便にスライド移動させるように構成することが好ましい。
【００７５】
図１４に示すように、バネ１４４がバネハウジング１４７に支持されて移動加圧部１３１を第１本体部１２０に付勢している状態であるので、移動加圧部１３１をスライド移動させて広げると、バネ１４４が弾性変形する。
【００７６】
挿入溝１０１に背表紙を挿入して移動加圧部１３１から手を放すと、バネ１４４の弾力で移動加圧部１３１が第１本体部１２０の方向にスライド移動しながら背表紙の側部を加圧することによって背表紙が挿入溝１０１に堅固に固定される。
【００７７】
そして、書見台１００Ｃに置かれた本を読み易くするように書見台１００Ｃを斜めに固定できる固定装置を構成することが好ましい。
【００７８】
前記固定装置は、図１２に示すように、板状の書見台受け１０２を底部１１０の下部にヒンジ結合し、底部１１０の中間又は上部に支え１０５をヒンジ結合して構成する。
【００７９】
前記書見台受け１０２には支え１０５が挿入される固定溝１０３が所定間隔で連続して形成されているので、支え１０５を広げて書見台受け１０２の固定溝１０３に挿入することによって、図１５のように書見台１００Ｃが傾斜して固定される。
【００８０】
前記支え１０５を折り畳んだ時に固定され得るように図１２のように底部１１０の底面に固定溝１０７を形成することによって、支え１０５を折り畳んで固定溝１０７に挿入し、支え１０５が折り畳まれた状態で固定されるように構成することが好ましい。
【００８１】
また、書見台受け１０２が折り畳まれた状態で固定され得るように図１２のように書見台受け１０２の端部に突起溝１０４を形成し、底部１１０の底面に固定突起１０６を形成することによって、書見台受け１０２を折り畳んだ時、前記固定突起１０６が突起溝１０４に挿入され、書見台受け１０２が折り畳まれた状態で固定されるように構成することが好ましい。
【００８２】
図１５に示すように、支え１０５及び書見台受け１０２を用いて書見台１００Ｃを傾斜して設置した状態で本が滑り落ちないように書見台１００Ｃの下部に受け台１１１を突出形成することが好ましい。
【００８３】
また、教会で厚い聖書を固定して使用するとき、前の椅子の背もたれに書見台を掛けて使用できるように、図１６に示すように、書見台１００Ｃの背面上端に掛け具１０８をヒンジ結合することによって、図１７に示すように、ヒンジを広げて椅子背もたれに掛けて使用できるように構成する。
【００８４】
前記掛け具１０８は、広がる角度が９０°よりも小さい角度に制限される。
【００８５】
上記のように構成された本発明は、書見台の表面に背表紙の部分が収納される凹状の挿入溝を構成することによって、厚い厚さの本であっても、開いたページが再び閉じることなく固定されるので、本が楽に読める。
【００８６】
また、書見台に固定する本の厚さに応じて書見台の挿入溝の幅を可変できるので、様々な厚さの本を固定することができる。
【００８７】
上記のように構成された本発明の書見台を楽譜を支える譜面台に使用することもでき、机に埋め立てて使用する時、机から突出させて使用することもできる。
【００８８】
以上、実施例を挙げて本発明の技術的思想を説明した。
【００８９】
本発明の属する技術の分野における通常の知識を有する者が、本発明の記載事項から上述の実施例を様々に変形又は変更できることは自明である。
【００９０】
また、たとえ明示的に図示又は説明されていなくても、本発明の属する技術の分野における通常の知識を有する者にとって、本発明の記載事項から、本発明に係る技術的思想を含む様々な形態の変形が可能であることは明らかであり、それらはいずれも本発明の権利範囲に含まれる。
【００９１】
添付の図面を参照して説明してきた以上の実施例は、本発明を説明するための目的で記述されたものであり、本発明の権利範囲はそれらの実施例に限定されない。
【符号の説明】
【００９２】
１００：書見台                  １０１：挿入溝
１０２：書見台受け            １０３：固定溝
１０４：突起溝                  １０５：支え
１０６：固定突起                １０７：固定溝
１０８：掛け具                  １１０：底部
１１１：受け台                  １１２：ページ加圧具
１２０：第１本体部              １２１：止め具
１２２：突起                    １２３：加圧具
１３０：第２本体部              １３１：移動加圧部
１３２：止め具                  １３３：突起
１３４：カバー                  １３５：支持台
１３６：加圧具                １３７：加圧面
１３８：第１把持溝              １３９：第２把持溝
１４１：締結ボルト              １４２：ホール
１４３：ガイドホール            １４４：バネ
１４５：固定突起                １４６：固定突起
１４７：バネハウジング          １４８：カバー
１４９：バネ溝                  １５１：ガイド
１５２：ガイドバー              １５３：ガイド突起
１５４：ガイド突起              １５５：翼
１５６：突起ガイド溝            １５７：挿入口
１５８：係止凸部
【図１】
0006951575.tif 000002
【図２】
0006951575.tif 000003
【図３】
0006951575.tif 000004
【図４】
0006951575.tif 000005
【図５】
0006951575.tif 000006
【図６】
0006951575.tif 000007
【図７】
0006951575.tif 000008
【図８】
0006951575.tif 000009
【図９】
0006951575.tif 000010
【図１０】
0006951575.tif 000011
【図１１】
0006951575.tif 000012
【図１２】
0006951575.tif 000013
【図１３】
0006951575.tif 000014
【図１４】
0006951575.tif 000015
【図１５】
0006951575.tif 000016
【図１６】
0006951575.tif 000017
【図１７】
0006951575.tif 000018